(57)【要約】【課題】装着者に対してツボの位置について所定のカスタマイズがされたフェイスマスク１０を提供する。【解決手段】フェイスマスク１０の装着対象者の顔画像に基づいて当該装着対象者の顔のツボの位置を特定する特定装置１１０と、特定装置１１０によって特定されたツボの位置に対応するフェイスマスク１０の位置に前記ツボを刺激する刺激部材３０を取り付けるためのノズル１３０を備えた取付装置と、特定装置１１０によって特定されたツボの位置を示す情報をその装着対象者の顔の大きさ及び頭蓋骨の骨格で分類して保存する保存装置１２０を備える。【選択図】図２
2020137942.tif 000002
【特許請求の範囲】
【請求項１】
健康マスクの装着対象者の画像に基づいて当該装着対象者のツボの位置を特定する特定装置と、
前記特定装置によって特定されたツボの位置に対応する健康マスクの位置に前記ツボを刺激する刺激部材を取り付ける取付装置と、
を備える、健康マスクの製造システム。
【請求項２】
さらに、前記特定装置によって特定されたツボの位置を示す情報をその装着対象者の大きさ及び骨格で分類して保存する保存装置を備える、請求項１記載の健康マスクの製造システム。
【請求項３】
前記特定装置は、前記画像から装着対象者の骨格及び筋肉の付き方を導出する導出装置を備え、
前記導出装置によって導出される骨格及び筋肉の付き方に基づいて前記ツボの位置を特定する、請求項１記載の健康マスクの製造装置。
【請求項４】
前記保存装置に保存されている分類毎のツボの平均的位置に対応する位置に刺激部材が取り付けられている、健康マスク。
【請求項５】
装着対象者の画像に基づいて特定される当該装着対象者のツボの位置に対応する位置に前記ツボを刺激する刺激部材が取り付けられている健康マスク。
【請求項６】
前記装着対象者との接触面が所要の粘着性を有する感応接着剤が塗布されている、請求項４又は５記載の健康マスク。
【請求項７】
前記刺激部材は、突起部を有する部材又は鍼である、請求項４又は５記載の健康マスク。
【発明の詳細な説明】
【技術分野】
【０００１】
本発明は、フェイスマスク及びその製造システムに関し、特に、装着者の顔のツボの位置を刺激可能なフェイスマスク及びその製造システムに関する。
【背景技術】
【０００２】
特許文献１には、顔のツボを鏡や本を見ることなく簡単に探せるフェイスマスクを提供するための技術が開示されている。このフェイスマスクは、伸縮性（伸長率２０％〜１５０％程度）と元に戻る強度（伸長回復率９０％程度）のある生地または合成樹脂を利用し、耳の下の付け根のやや後頭部よりのところに細長い数センチ程度の開口部を設け、左右の下顎頭の近くに直径約２０ｍｍ、厚さ約８ｍｍ程度の緩衝材を配置し頸動脈への圧迫を無くし、額と頬の部分の端に斜め上方向にバンドを付け、それぞれ顔を引き締めながら接合可能であり顔の美容に効くつぼの位置に小さい突起のある首筋までカバーしている。
【特許文献１】特開２０１４−２００３５９号公報
【発明の開示】
【発明が解決しようとする課題】
【０００３】
特許文献１に開示されているフェイスマスクは、装着者毎に異なる顔の大きさ、骨格、筋肉について考慮されておらず、したがって、ツボの位置の特定の手法が曖昧である。ツボの位置と突起の位置とがずれていれば、せっかくの突起はツボを刺激することができず、この点において改善の余地がある。
【０００４】
そこで、本発明は、装着者に対してツボの位置について所定のカスタマイズがされたフェイスマスクを含む健康マスクの提供することを課題とする。
【課題を解決するための手段】
【０００５】
上記課題を解決するために、本発明の健康マスクの製造システムは、
健康マスクの装着対象者の画像に基づいて当該装着対象者のツボの位置を特定する特定装置と、
前記特定装置によって特定されたツボの位置に対応する健康マスクの位置に前記ツボを刺激する刺激部材を取り付ける取付装置と、
を備える。
【０００６】
さらに、前記特定装置によって特定されたツボの位置を示す情報をその装着対象者の大きさ及び骨格で分類して保存する保存装置を備えてもよい。こうすると、前記保存装置に保存されている分類毎のツボの平均的位置に対応する位置に刺激部材が取り付けられている健康マスクを製造することが可能となる。
【０００７】
また、本発明の健康マスクは、前記特定装置は、前記画像から装着対象者の骨格及び筋肉の付き方を導出する導出装置を備え、前記導出装置によって導出される骨格及び筋肉の付き方に基づいて前記ツボの位置を特定するとよい。
【０００８】
さらに、前記保存装置に保存されている分類毎のツボの平均的位置に対応する位置に刺激部材が取り付けられているとよい。
【０００９】
また、本発明の健康マスクは、
装着対象者の画像に基づいて特定される当該装着対象者のツボの位置に対応する位置に前記ツボを刺激する刺激部材が取り付けられている。
【００１０】
この場合、前記装着対象者との接触面が所要の粘着性を有する感応接着剤が塗布されているとよい。
【００１１】
また、前記刺激部材は、突起部を有する部材又は鍼とすることができる。
【図面の簡単な説明】
【００１２】
【図１】本発明の実施形態のフェイスマスクの模式的な構成図である。
【図２】図１に示すフェイスマスクの製造装置及び製造工程の模式図である。
【符号の説明】
【００１３】
１０  フェイスマスク
２０  接着剤
３０  刺激部材
４０  感圧接着剤
１１０  特定装置
１２０  保存装置
１３０  ノズル
【発明の実施の形態】
【００１４】
以下、本発明の実施形態について図面を参照して説明する。なお、本明細書では、本発明の健康マスクの一例として、フェイスマスクによって具現化する場合を例に説明する。
【００１５】
図１は、本発明の実施形態のフェイスマスク１０も模式的な構成図である。図１に示すフェイスマスク１０は、それ自体はシリコンを含む可撓性のある樹脂などを素材とするとよく、後述する接着剤３０として適用可能なものの幅を広げるためには、ある程度の耐熱性を有するよい。
【００１６】
フェイスマスク１０は、装着対象者毎のツボの位置に対応する位置に、複数の刺激部材３０が取り付けられている。なお、図１に示す刺激部材３０の各位置は幾つかのツボを例示しているだけであって、図示しているものに代えて又はこれらとともに、他の位置とすることももちろん可能であり、装着者の意向に沿ったものとすることもできる。
【００１７】
刺激部材３０は、例えば、突起部分を有する部材又は美容鍼などの鍼とすることができる。突起部分を有する部材は、これに限定されるものではないが、高さが例えば３ｍｍ〜５ｍｍ程度で、底面の直径が例えば３ｍｍ〜７ｍｍ程度の概形が略円錐状のものを用いるとよい。もっとも、突起部分の先端は、フェイスマスク１０の装着者の肌を傷つけないように所要の丸みを帯びているとよい。
【００１８】
この種の部材を用いると、部材の突起部分は、適度に装着者の顔のツボを刺激できることになる。部材の底部は、フェイスマスク１０本体との接触面積を増やすことができ、刺激部材３０とフェイスマスク１０との接続が強固になるという利点がある。当該部材の素材は、これに限定されるものではないが、樹脂製、紙製などとすることができるが。ただし、刺激部材３０は、装着者のツボを十分に刺激できるように、ある程度の硬性を有するとよい。
【００１９】
刺激部材３０の周辺には、フェイスマスク１０の装着者とフェイスマスク１０との位置ずれを防止したり、密着性を高めたりするために、感圧接着剤（ＰＳＡ：Pressure Sensitive Adhesive）４０を塗布することができる。なお、フェイスマスク１０は、使用後に可燃ごみとして廃棄できるように可燃材料を選択するとよい。
【００２０】
図２は、図１に示すフェイスマスク１０の製造装置及び製造工程の概念図である。図２（ａ）には、フェイスマスク１０の装着対象者の顔のツボの位置を特定する特定装置１１０を示している。
【００２１】
特定装置１１０は、当該装着対象者の顔画像を撮像して、当該撮像データと予め用意されている頭蓋骨の骨格及び顔の筋肉の付き方のマスターデータと対比することによって、当該装着対象者の顔のツボの位置を導出することによって特定するものである。
【００２２】
なお、例えば、フェイスマスク１０の装着対象者から正面からの顔画像を、その寸法が特定可能な態様でフェイスマスク１０の製造システムの管理者等に送信さえすれば、フェイスマスク１０を製造することは可能である。したがって、特定装置１１０が撮像手段を備えることは必須ではない点に留意されたい。
【００２３】
念のため付言すると、特定装置１１０は、フェイスマスク１０の装着対象者が顎と額上部とを接触させる部位を備えているので、特定装置１１０に対してユーザが顎と額上部とを接触させると、撮像手段とユーザの顎との間の距離及び角度、撮像手段とユーザの額上部との間の距離及び角度がそれぞれ既知であるから、ユーザの顔の寸法を特定することが可能となる。
【００２４】
ここで、鍼灸師等の専門家は、患者の頭蓋骨の骨格と顔の筋肉の付き方とを見れば、その患者の顔のツボの位置が把握できるということが知られている。したがって、フェイスマスク１０の製造にあたり、専門家によってツボの位置を把握することも一法である。
【００２５】
或いは、特定手段１１０は、顔画像とこれに対応するツボの位置とを一組の学習データとし、複数組の学習データによって学習させた人工知能を、特定装置１１０に対して搭載しておく。そして、特定装置１１０自体で撮像した装着対象者の顔画像又は既述のようにフェイスマスク１０の装着対象者から送信された当該装着対象者の顔画像を人工知能に入力することによって、顔画像を用いて装着対象者の顔のツボの位置を特定してもよい。
【００２６】
ところで、人工知能は、人間の一方向から見た顔画像を用いて、その人間を他方向から見た場合の顔画像を予測することに優れている。そうすると、一方向からの撮像データのみでフェイスマスク１０の装着対象者のツボの位置を特定してもよいが、人工知能を用いて統計上より精度よく正確なツボの位置を特定することが好ましいといえる。
【００２７】
そこで、本実施形態では、特定の人間とその人間を複数方向から見た顔画像群とを一組にした学習データとし、複数組の学習データによって学習させた人工知能を、特定装置１１０に対して搭載しておく。そして、特定装置１１０自体で撮像した装着対象者の正面からの顔画像又は既述のようにフェイスマスク１０の装着対象者から送信された当該装着対象者の正面からの顔画像を人工知能に入力することによって、人工知能に他方向の顔画像を予測させて、それらの顔画像を用いて装着対象者の顔のツボの位置を特定している。
【００２８】
図２（ｂ）には、図２（ａ）に示した特定装置１１０によって特定されたツボの位置を示す情報を、その装着対象者の顔の大きさ及び頭蓋骨の骨格で分類して保存する保存装置１２０を示している。保存装置１２０は、例えば、高性能のパーソナルコンピュータのようなコンピュータとデータベースとによって実現することができる。
【００２９】
ここで、日本人の顔の形状として、丸顔、面長、三角形型、四角形型などが代表的である。また、人間の顔の大きさも、例えば、大・中・小というように大別することができる。この例では、顔の形状の４パターンと顔の大きさの３パターンとから、特定装置１１０によって特定されたツボの位置を示す情報を、合計１２分類にグルーピングすることができる。
【００３０】
図２（ｃ）には、図２（ａ）に示した特定装置１１０によって特定されたツボの位置に対応するフェイスマスク１０の位置に、装着者のツボを刺激する刺激部材３０を取り付ける取付装置のノズル１３０を示している。
【００３１】
このノズル１３０は、図２（ａ）に示した特定装置１１０によって特定されたツボの位置に対応するフェイスマスク１０の位置に接着剤２０を塗布するためのものである。接着剤２０は、フェイスマスク１０自体の素材の融点未満の熱硬化性樹脂又は紫外線硬化性樹脂などを選択することができる。
【００３２】
ノズル１３０を備える取付装置は、特定装置１１０によって特定されたツボの位置情報を入力し、その位置情報に基づいて取付装置の作業台に載置されているフェイスマスク１０本体に対して、Ｘ−Ｙ方向にノズル１３０を移動させて位置合わせした後に、ノズル１３０をＺ方向にフェイスマスク１０の表面近傍まで異動させてから、フェイスマスク１０に接着剤２０に吐出する。
【００３３】
ここで、フェイスマスク１０が取付装置の作業台に平面的に載置されている場合、つまり、当該作業台の表面が平面である場合であって、ツボの位置が３次元で特定されている場合には、当該装着対象者によるフェイスマスク１０の使用時を想定した３次元データに換算した上でフェイスマスク１０に接着剤２０を吐出すればよい。
【００３４】
その後に、接着剤２０の上に刺激部材３０の底面を位置合わせして載置した状態で接着剤２０を硬化させる。それから、接着剤２０の周辺に感圧接着剤４０を塗布する。この際、刺激部材３０の上にも感圧接着剤４０は塗布しても問題ない。
【００３５】
こうして、図２（ｄ）に示すように、接着剤２０によって刺激部材３０が接着され、フェイスマスク１０の装着者側の面、すなわち、フェイスマスク１０の装着者の顔との接着面側に感圧接着剤４０が塗布されたフェイスマスク１０の製造が完了する。
【００３６】
ここで、保存装置１２０には、既述のように、特定装置１１０によって特定されたツボの位置を示す情報が、合計１２分類にグルーピングされた状態で保存されている。したがって、各々のグループ毎のツボの平均的位置に対応する位置に、刺激部材３０を配置することで、１２種類のフェイスマスク１０を量産することもできる。
【００３７】
したがって、例えば、図２（ａ）〜図２（ｃ）に示すフェイスマスク１０の製造システムを用いた高度なフェイスマスク１０までは必要としないが、自身の顔の形状及び大きさに好適なフェイスマスク１０で十分であるという装着対象者にとっては、通常、量産によりコストダウンを図れるので、自身の顔のタイプに向いているフェイスマスク１０を安価に入手することが可能となる。
【００３８】
本実施形態では、健康マスクの一例として、フェイスマスク１０に本発明を適用した場合を例に説明したが、健康マスクを装着すべき部位は顔に限定されるものではなく、例えば、頭部、体自体の一部位（例えば、肩・ひざ・足首）とすることもできる。したがって、例えば、頭部用の健康マスクの場合には、装着対象者の頭部の画像に基づいて頭部のツボの位置を特定するようにすればよい。
【図１】
2020137942.tif 000003
【図２】
2020137942.tif 000004